(57)【要約】【課題】洗浄水を噴射し、噴射された洗浄水に空気を導き、遠心力を利用して洗浄水を揚水するガイドを備えた浄化装置を有する空気清浄機を提供する。【解決手段】本発明の湿式空気清浄機は、ハウジング内に浄化装置を備え、浄化装置は、空気をハウジング下部の洗浄水に導く送風機と、ハウジング下部に貯留されている洗浄水を揚水する内側ガイドと、内側ガイドにより揚水される洗浄水を半径方向に噴射し、送風機により導かれた空気が噴射された洗浄水を通過するようにするノズル部と、導かれた空気及び噴射された洗浄水をハウジング下部の洗浄水に案内する外側ガイドであって、内側ガイドとの間にギャップを形成するように内側ガイド周囲を取り囲む外側ガイドとを備える。送風機、内側ガイド及び外側ガイドは駆動ユニットにより共に回転する。内側ガイド部は中央部を有し、螺旋状のガイド部が中央部の外面に配置される。【選択図】図１
2008520422.tif 000002
【特許請求の範囲】
【請求項１】
湿式空気清浄機であって、
下部に洗浄水を貯留するハウジングと、
前記ハウジング内に設置されている浄化装置とを備え、
前記浄化装置は、
空気を前記ハウジングの下部に貯留されている洗浄水に導く送風機と、
前記ハウジングの下部に貯留されている洗浄水を揚水するための内側ガイドと、
前記内側ガイドにより揚水される洗浄水を半径方向に噴射し、前記送風機により導かれた空気が前記噴射された洗浄水を通過するようにするためのノズル部と、
前記導かれた空気及び前記噴射された洗浄水を前記ハウジングの下部に貯留されている洗浄水に案内する外側ガイドであって、前記内側ガイドとの間にギャップを形成するように前記内側ガイドの周囲を取り囲む外側ガイドとを備え、
前記送風機、前記内側ガイド及び前記外側ガイドは駆動ユニットにより共に回転することを特徴とする湿式空気清浄機。
【請求項２】
前記内側ガイドは、中央部と、前記中央部の外面に設けられているガイド部とを有し、前記ガイド部の入口は前記ハウジングの下部に貯留されている洗浄水中に浸されることを特徴とする請求項１に記載の湿式空気清浄機。
【請求項３】
前記ガイド部は、前記中央部の外面に螺旋状に配置されることを特徴とする請求項２に記載の湿式空気清浄機。
【請求項４】
前記ノズル部は、前記ガイド部の出口まで連通するように前記内側ガイドに結合されることを特徴とする請求項２に記載の湿式空気清浄機。
【請求項５】
互いに離隔して配置された複数のリブが前記ガイド部の内面に形成され、前記ハウジングの下部に貯留されている洗浄水を揚水しやすくすることを特徴とする請求項２に記載の湿式空気清浄機。
【請求項６】
前記送風機は、前記駆動ユニットの回転軸に固定され、前記ノズル部は、前記ノズル部及び前記内側ガイドが前記送風機と共に回転するように前記送風機に固定されることを特徴とする請求項２に記載の湿式空気清浄機。
【請求項７】
前記送風機及び前記内側ガイドの前記中央部は、前記駆動ユニットの回転軸に固定され、前記送風機、前記内側ガイド及び前記ノズル部が、前記回転軸と共に回転するようにすることを特徴とする請求項２に記載の湿式空気清浄機。
【発明の詳細な説明】
【技術分野】
【０００１】
本発明は空気清浄機に関し、より詳細には、洗浄水を噴射し、噴射された洗浄水に空気を導き、遠心力を利用して洗浄水を揚水するガイドを備えた浄化装置を有する湿式空気清浄機に関する。
【背景技術】
【０００２】
一般に、空気清浄機は、微細ダスト、様々な有害ガス、様々な雑菌、カビ、ウイルスなどを含んでいる室内空気を、浄化媒介体を用いて浄化する機能を果たす。このような空気清浄機は、空気清浄はもちろん、生活臭、ダニ、花粉、ペットの毛などの小粒子を除去し、空気感染による病気発生を予防するなどの様々な機能を有するため、四季を通じて用いることができる。
【０００３】
空気清浄機は、乾式と湿式に大きく２つに分けられる。乾式空気清浄機は、さらに、フィルタ式と電気集塵式とに分けられる。
【０００４】
ここで、電気集塵式空気清浄機はフィルタを用いないため、フィルタの交換が不要という長所がある。しかし、電気集塵板にダストが溜まると、空気清浄機の清浄能力が低下し、ダストを除去する能力が弱まるという短所がある。
【０００５】
一方、フィルタ式空気清浄機は、空気がフィルタを通過する間に様々な微粒子を捕集することができるので清浄能力に優れており、黄砂が発生する季節の使用に適している。しかし、フィルタを周期的に交換しなければならないため、フィルタ交換のためのメンテナンス費用がかかる。
【０００６】
他方、湿式空気清浄機は、吸入した空気を水に接触させることによって、吸入した空気中の浮遊物質を水に吸着させる方式である。湿式空気清浄機は、まだ一般に広く使用されていない商品であるが、フィルタの交換が不要であり、騒音の発生が少なく、加湿機能を提供できるなどの様々な長所がある。従って、子供用に使用することが好ましい。しかし、湿式空気清浄機を使用する場合、水の入れ替え或いは補充をしなければならないという面倒さがある。
【０００７】
上述したような問題点を解決するために、洗浄水が所定の空間に貯留され、送風ユニット及び噴射ユニットが同じ空間に設置されるという、簡単な構造を有する湿式空気清浄機が提案されている。このような湿式空気清浄機の一例は、特許文献１に開示されている。
【０００８】
この湿式空気清浄機は、空気を空気清浄機の内部に導入し、空気を浄化した後に外部に排出する空気循環通路を備える。噴射される流体を含む貯留槽は、空気循環通路の一部を形成する。また、この湿式空気清浄機は、空気循環通路を通じて空気を循環させる送風ユニットと、貯留槽内の噴射空間内で流体を噴射する噴射ユニットとをさらに備える。
【０００９】
送風ユニットは、噴射空間に空気を吸入するためのファンと、そのファンを駆動させるためのモータとを備える。噴射ユニットは、貯留槽から流体を汲み上げるためのポンプと、その流体を噴射空間内に噴射させるためのノズルとを備える。
【００１０】
さらに、空気循環通路内に供給された空気は、一般に、上方から貯留槽内に導入された後は下方に流れるのに対して、流体は下方から上方に噴射される。従って、貯留槽内に導入された空気に、ノズルから噴射した微細な水粒子を接触させることによって、空気中の有害物質を流体に吸着させる。
【００１１】
しかしながら、上記の従来の湿式空気清浄機では、室内空気を循環させるための送風ユニットと、水を噴射するための噴射ユニットとは別個に設置される。従って、送風ユニット及び噴射ユニットを作動させるのに個別にモータが必要となるため、空気清浄機の部品数を増加させ、製造コストを上昇させてしまう。さらに、洗浄水がノズルを介して噴射空間の内側表面に再び噴射され、騒音を増加させる。
【００１２】
また、従来の湿式空気清浄機は、微細ダストを吸着捕集した水滴が空気と共に空気清浄機の外部に排出されるため、清浄能力が低下し、湿度が予想外に高くなる。さらに、洗浄水と空気との接触が不十分であるため、清浄能力が低下する。
【００１３】
【特許文献１】特開２０００-３３４２４０号公報
【発明の開示】
【課題を解決するための手段】
【００１４】
本発明は、上記事情に鑑みてなされたものであって、その目的は、洗浄水を噴射し、噴射された洗浄水に空気を導き、遠心力を利用して洗浄水を揚水するガイドを備えた浄化装置を有する空気清浄機を提供することにある。
【００１５】
前記課題を解決すべく、本発明に係る湿式空気清浄機は、空気吸入口及び空気排出口を有し、下部に洗浄水を貯留するハウジングと、洗浄水を拡散し、空気を空気吸入口を介してハウジング内に導入させ、噴射された洗浄水に空気を通過させるようにする送風機であって、回転軸に固定され、回転軸と共に回転する該送風機と、空気吸入口を介して導入された空気を、ハウジングの下部に貯留されている洗浄水の方に案内するためのガイドブロックと、送風機によって拡散されるようにハウジングの下部に貯留されている洗浄水を送風機に供給するためのポンプとを備える。
【００１６】
前記課題を解決すべく、本発明に係る湿式空気清浄機は、下部に洗浄水を貯留するハウジングと、ハウジング内に設置されている浄化装置とを備え、浄化装置は、空気をハウジングの下部に貯留されている洗浄水に導く送風機と、ハウジングの下部に貯留されている洗浄水を揚水するための内側ガイドと、内側ガイドにより揚水される洗浄水を半径方向に噴射し、送風機により導かれた空気が噴射された洗浄水を通過するようにするためのノズル部と、導かれた空気及び噴射された洗浄水をハウジングの下部の洗浄水に案内する外側ガイドであって、内側ガイドとの間にギャップを形成するように内側ガイドの周囲を取り囲む外側ガイドとを備え、送風機、内側ガイド及び外側ガイドは駆動ユニットにより共に回転することを特徴とする。
【００１７】
好ましくは、内側ガイドは中央部と中央部の外面に設けられているガイド部とを有し、ガイド部の入口はハウジングの下部に貯留されている洗浄水内に浸される。
【００１８】
好ましくは、ガイド部は中央部の外面に螺旋状に配置される。
【００１９】
ノズル部は、ガイド部の出口まで連通するように内側ガイドに結合される。
【００２０】
好ましくは、互いに離隔して配置された複数のリブがガイド部の内面に形成され、ハウジングの下部に貯留されている洗浄水を揚水しやすくする。
【００２１】
好ましくは、送風機は駆動ユニットの回転軸に固定され、ノズル部は、ノズル及び内側ガイドが送風機と共に回転するように送風機に固定される。
【００２２】
好ましくは、送風機及び内側ガイドの中央部は駆動ユニットの回転軸に固定され、送風機、内側ガイド及びノズル部は回転軸と共に回転するようにする。
【発明を実施するための最良の形態】
【００２３】
以下、添付の図面を参照しつつ、本発明に係る湿式空気清浄機の実施例について詳細に説明する。
【００２４】
図１は本発明の一実施例に係る湿式空気清浄機用浄化装置の断面図、図２及び図３は図１のＡ部及びＢ部の拡大図、図４は浄化装置の斜視図である。
【００２５】
図１に示すように、浄化装置は空気吸入口(図示せず)及び空気排出口(図示せず)を有するハウジング１内に設置され、ハウジング１はその下部に洗浄水を貯留する。浄化装置は、ハウジング１の空気吸入口を介して導入された空気をハウジング１下部の洗浄水に導くための送風機４０と、ハウジング１下部の洗浄水を揚水するための内側ガイド１０と、洗浄水を半径方向に噴射させるノズル部２０と、導かれた空気及び噴射された洗浄水をハウジング１下部の洗浄水に案内する外側ガイド６０とを備える。
【００２６】
送風機４０は、モータ５０の回転軸５２に固定されている本体部４４と、本体部４４の周囲に設けられている複数の羽根４２と、羽根４２の外端に羽根を取り囲むように固定されているフレーム４５とを備える。
【００２７】
モータ５０の回転軸５２が回転すると、送風機４０が回転軸５２と共に回転するので、ハウジング１の空気吸入口を介して導入された空気は羽根４２の回転により吸入されて下方に導かれる。
【００２８】
内側ガイド１０は、中空の中央部１１と、中央部１１の外面周囲に設けられているガイド部１００とを有する。好ましくは、ガイド部１００は中央部１１の外面周囲に螺旋状に配置される。ガイド部１００の入口１２はハウジング１の下部に貯留されている洗浄水中に浸され、ガイド部１００は洗浄水が揚水される流路を形成する。
【００２９】
所定の間隔で互いに離隔して配置されている複数のリブ１１０がガイド部１００の内面に形成され、遠心力によりガイド部１００の内面に沿って揚水された洗浄水を押し上げる作用をする。
【００３０】
ノズル部２０は、内側ガイド１０の上端に備えられ、ガイド部１００の出口及び中空の中央部１１の内側と連通する。ノズル部２０は結合部材３０を用いて送風機４０の本体部４４に固定的に取付られる。従って、モータ５０の回転軸５２が回転すると、ノズル部２０及び内側ガイド１０も送風機４０と共に回転するため、ガイド部１００の入口１２付近の洗浄水はガイド部１００に吸入され、ガイド部１００に加えられた遠心力によりガイド部１００を通って揚水され、ノズル部２０を介して半径方向に噴射され、送風機４０の羽根４２により下方に導かれる空気に接触する。本実施例では、ノズル部２０は送風機４０に固定されているが、内側ガイド１０の中央部１１が回転軸５２に固定され、回転軸５２と共に回転することもある。
【００３１】
また、外側ガイド６０は、送風機４０のフレーム４５に固定されている固定部６３と、内側ガイド１０との間にギャップを形成するように内側ガイド１０の周囲に配置されている外側上部６６及び外側下部６４とを備え、羽根４２により導かれた空気及びノズル部２０から噴射された洗浄水が、ギャップを介してハウジング１内の洗浄水内に案内される。
【００３２】
外側上部６６は下方に延在し、その内径は下方に徐々に縮小し、外側下部６４は下方に延在し、その内径は下方に徐々に増大する。
【００３３】
洗浄水は、その水面が外側上部６６及び外側下部６４の結合地点と同じレベルにあることが好ましい。
【００３４】
外側ガイド６０の固定部６３は、複数の孔が形成されている下側フランジ６２を有し、送風機４０のフレーム４５は、複数の孔が形成されている上側フランジ４６を有する。下側フランジ６２及び上側フランジ４６は、対応する孔に適合された締結ネジ５５により互いに結合される。
【００３５】
固定部６３及び外側上部６６は、傾斜した反射壁６９により互いに結合される。反射壁６９は、ノズル部２０から噴射される洗浄水を、送風機４０の羽根４２に向けて上方に反射させるように配置される。
【００３６】
送風機４０、内側ガイド１０及び外側ガイド６０は、モータ５０の回転軸５２の回転により共に回転する。
【００３７】
ガイド部１００の入口１２は、外側下部６４の端部に位置する出口６８の下方に配置されており、出口６８から排出される汚染水がガイド部１００の入口１２を通って揚水されることを防止する。
【００３８】
以下、本発明の実施例に係る浄化装置の作用について説明する。
【００３９】
モータ５０により回転軸５２が回転すると、送風機４０、内側ガイド１０及び外側ガイド６０が回転軸５２と共に回転する。
【００４０】
空気は羽根４２の回転により吸入され、羽根を通過して下方に導かれる。内側ガイド１０のガイド部１００の入口１２付近の洗浄水は、ガイド部１００の入口１２に導入され、内側ガイド１０の回転により螺旋状のガイド部１００を通って揚水される。洗浄水はガイド部１００の出口よりノズル部２０に導入され、ノズル部２０を通って半径方向に噴射される。下方に導かれた空気は、噴射された洗浄水を通過して初めて浄化される。すなわち、空気中の細菌、ほこりなどのような異物が、噴射された洗浄水により吸着捕集される。
【００４１】
水が微細に噴射されるとき、レナード効果（Ｌｅｎａｒｄ  ｅｆｆｅｃｔ）によりマイナスイオンが生成される。マイナスイオンの量は、高圧放電により生成されるマイナスイオンよりも多く、また、その生成されたマイナスイオンは天然マイナスイオンに近い。
【００４２】
ノズル部２０から噴射される洗浄水は、反射壁６９と衝突して散乱することで、空気と混合される。このとき、噴射される水が反射壁６９と衝突する空間は閉じられた空間であって、反射壁６９に水が衝突することによって発生した騷音が外側に伝わることを最小限にし、比較的に静かな環境を提供する。
【００４３】
さらに、散乱した水滴の一部は上方に移動し、羽根４２及び羽根を通過して流れる空気に接触するため、空気中の異物は水滴により吸着捕集される。
【００４４】
異物を吸着する水滴は外側上部６６の内面に落下し、内面に沿って下方へ流れる。
【００４５】
水滴及び送風機４０により下方に導かれた空気は、ギャップを通過し、出口６８を介してハウジング１下部の洗浄水中に流入する。水滴及び空気内の異物は、ハウジング１下部の洗浄水と混合され、きれいな空気が水を通過して空気排出口を介して外部に放出される。
【００４６】
ギャップ８０内の水を通過して流れる空気は、外側下部６４の回転により水と混合され、それによって水による空気中の異物の吸着捕集をしやすくする。
【００４７】
本発明の浄化装置を備えた湿式空気清浄機によれば、モータの回転力により、送風機、内側ガイド及び外側ガイドが共に回転するため、別体のポンプがなくてもハウジング内に貯留されている洗浄水を揚水することができ、それにより製造コストを低減できる。また、下方に導かれる空気は洗浄水と数回にわたって接触するため、清浄効果が増加する。
【００４８】
さらに、内側ガイドは中央部の外面に形成される螺旋状のガイド部が備えられることにより、ハウジングの下部に貯留されている洗浄水を揚水しやすくする。
【００４９】
本発明の好ましい実施例を説明したが、本発明はかかる実施例に限定されるものではなく、特許請求の範囲の記載から把握される技術的範囲において種々の実施形態に変更可能である。
【図面の簡単な説明】
【００５０】
本発明の前記並びにその他の目的、特徴及び長所については、本発明の記述及び添付図面より明らかになる。
【図１】本発明の一実施例に係る湿式空気清浄機用浄化装置の断面図である。
【図２】図１のＡ部の拡大図である。
【図３】図１のＢ部の拡大図である。
【図４】図１の浄化装置の斜視図である。
【図１】
2008520422.tif 000003
【図２】
2008520422.tif 000004
【図３】
2008520422.tif 000005
【図４】
2008520422.tif 000006
【国際調査報告】
2008520422.tif 000007
2008520422.tif 000008